(57)【要約】【課題】どのような向きに置いても、流し盛りすべき寿司の配置位置の目安が常に同じ位置に現れて、熟練されていない人でも、寿司の流し盛りを、短時間内で簡単に、しかも貫数の間違いがなく綺麗に行える寿司用の包装用容器を提供すること。【解決手段】底面１０ａの各辺近傍に、各辺に対して同じ角度で傾斜し、最初の寿司２０ａを盛り付けるための目安になる第１リブ１１を形成したこと。【選択図】図１
2014172658.tif 000002
【特許請求の範囲】
【請求項１】
平面視正多角形状の底面に、複数の寿司を流し盛りするための包装用容器において、
前記底面の各辺近傍に、各辺に対して同じ角度θで傾斜し、最初の寿司を盛り付けるための目安になる第１リブを形成したことを特徴とする寿司用の包装用容器。
【請求項２】
前記第１リブを目安にして盛り付けた最初の寿司の右隣に次の寿司を盛り付けるために、前記底面に、第１リブに対して平行または直角で傾斜する第２リブを形成したことを特徴とする請求項１に記載の寿司用の包装用容器。
【請求項３】
前記底面が、平面視正方形であることを特徴とする請求項１または請求項２に記載の寿司用の包装用容器。
【請求項４】
前記底面に、その各辺と平行で、前記各寿司の配置範囲を画定する第３リブを形成したことを特徴とする請求項１〜請求項３のいずれかに記載の寿司用の包装用容器。
【発明の詳細な説明】
【技術分野】
【０００１】
本発明は、寿司を「流し盛り」するための包装用容器に関し、特に、合成樹脂シートから熱成形した包装用容器に関するものである。
【背景技術】
【０００２】
寿司は、寿司店に行って食することもあるが、「中食」と言われているような、家やパーティ会場に持ち帰って食する場合がある。寿司を持ち帰って食する場合には、持ち帰るための「容器」が必要になるが、この容器としては、寿司店に返却しなければならない「寿司桶」に代わって、近年では、使い捨てできる合成樹脂製の包装用容器が大量に使用されるようになってきている。
【０００３】
一方、寿司自体も、寿司職人が手で作るものよりも安価で大量に提供できることから、機械的に作られるものも多くなってきている。機械的に作られた寿司についても、これを上記包装用容器内に盛り付けるためには、人手に頼らざるを得ない。
【０００４】
ところで、複数の寿司を容器に盛る場合には、「流し盛り」という盛り方が採用される。「流し盛り」は、古来採用されていた「重ね盛り」とは異なって、寿司を上下に重ねないで川の流れのように平面的に盛り付ける方法であり、かつ、寿司の両側に指や箸が入れ易くなるように、食べる人に対して「斜め」に盛るものである。
【０００５】
このような「流し盛り」を、寿司製造装置から次々と出てくる大量の寿司について、しかも寿司用の包装用容器に対して短時間内で行おうとすると、ある程度の熟練が必要である。このため、寿司を流し盛りするための包装用容器には、工夫が必要になってくるのである。
【０００６】
寿司を収納するための包装用容器としては、例えば特許文献１や特許文献２等において、既に種々なものが提案されてきている。
【先行技術文献】
【特許文献】
【０００７】
【特許文献１】実開平４−２２８７４号公報、第２図
【特許文献２】特開平１１−７０９３０号公報、要約
【発明の概要】
【発明が解決しようとする課題】
【０００８】
特許文献１にて提案されている「プラスチック製寿司桶」は、図１１に示すように、「プラスチック製の寿司桶の内側に、盛り付ける寿司を仕切るための複数本の直線状の突条が所定の間隔をおいて突設されている」ものである。この特許文献１の「プラスチック製寿司桶」は、図１１からすると外形が円形であるから、見た目では全体の方向性はないが、盛り付ける寿司を仕切るための突条を利用して寿司を綺麗に盛り付けようとすると、俄然、方向性が出てきて、当該「プラスチック製寿司桶」を突条が利用できるように設置しなければならない。
【０００９】
まして、この特許文献１の「プラスチック製寿司桶」によって、寿司を流し盛りしようとすると、「寿司を仕切るための複数本の直線状の突条」が却って盛り付け作業を困難にすると考えられる。何故なら、盛り付け作業者の熟練度や癖によって、「プラスチック製寿司桶」自体の設置方向が異なり、この設置方向と「複数本の直線状の突条」の方向とは異なることもあって、「プラスチック製寿司桶」自体の設置方向を修正する作業が必要になるからである。
【００１０】
また、特許文献２の「包装用容器およびその製造方法」は、「寿司やみたらし団子など醤油やタレ等の液状物を必要とするものを収納するのに好適な包装用容器とその製造方法を提供すること」を目的としてなされたもので、図１２にも示すように、「四角形の板状体の四隅を切り落し、且つ足刳り部を形成した四隅間の側壁１３を起上して側壁端部１３′どうしを融着接合した容器であって、側壁上端から少し下げた中央位置を底面とする収納用凹部を形成し、この収納用凹部１１には小区画１２を形成する凹部または凸部を一体に形成」したものである。
【００１１】
この特許文献２の「包装用容器」は、小区画１２を利用して醤油やタレ等の液状物を収納することはできるかもしれないが、寿司の「流し盛り」を考慮していないため、流し盛り作業を短時間内で大量に行うには熟練を要すると思われる。
【００１２】
いずれにしても、寿司製造装置から大量に出てくる寿司を、規定の包装用容器に短時間内で流し盛りしようとすると、まず、作業がし易いように容器全体の位置を決めてから、容器の底面上に順に寿司を並べていかなくてはならないが、従来の容器では、当該容器の位置決めに時間が掛かると考えられるのである。
【００１３】
特に、スーパーマーケットのような大型店舗で寿司を大量に販売しようとする場合、規定の容器に収納されるべき寿司の貫数（通常、握り寿司２個で一貫であるが、以下では、握り寿司１個が一貫であるとして説明する）は当然に決められているのであるから、貫数自体に間違いがあってはならないし、容器毎に見栄えが異なっていてもよくない。そして、重要なことは、スーパーマーケットのような大型店舗等のバックヤードで寿司を流し盛りする作業者は、専門の寿司職人ではないことが多い実状にあるため、このような熟練されていない人でも、貫数の間違いがなくて綺麗な流し盛りが短時間内で行えるような容器が求められているのである。
【００１４】
そこで、本発明者等は、熟練されていない人でも、寿司の流し盛りが簡単にかつ綺麗に行えるような容器とするにはどうしたらよいか、について種々検討を重ねてきた結果、本発明を完成したのである。
【００１５】
すなわち、本発明の目的とするところは、どのような向きに置いても、流し盛りすべき寿司の配置位置の目安が常に同じ位置に現れて、熟練されていない人でも、寿司の流し盛りを、短時間内で簡単に、しかも貫数の間違いがなく綺麗に行える寿司用の包装用容器を提供することにある。
【課題を解決するための手段】
【００１６】
以上の課題を解決するために、まず、請求項１に係る発明の採った手段は、後述する最良形態の説明中で使用する符号を付して説明すると、
「平面視正多角形状の底面１０ａに、複数の寿司２０を流し盛りするための包装用容器１０において、
底面１０ａの各辺近傍に、各辺に対して同じ角度θで傾斜し、最初の寿司２０ａを盛り付けるための目安になる第１リブ１１を形成したことを特徴とする寿司２０用の包装用容器１０」
である。
【００１７】
本発明に係る包装用容器１０は、合成樹脂シートから熱成形によって形成したものであり、図１〜図５に示すように、寿司２０が載置されるべき底面１０ａの全周囲に立ち上げ壁１６が連続していて、この寿司２０によって寿司２０の収納部が形成されている。また、寿司２０の上端全周にはフランジ１７が一体化されていて、このフランジ１７によって当該包装用容器１０が必要としている剛性の一部を確保するとともに、当該包装用容器１０に対して嵌合される蓋体３０の載置場所が確保されている。
【００１８】
また、本発明に係る包装用容器１０は、その底面１０ａが正多角形をなしていることを前提とするものであるが、この場合の正多角形とは、図６の（ａ）及び（ｂ）に示すように、例えば正四角形の角となっている部分について、弧や直線で「角取り」されたものも含むものである。勿論、底面１０ａが正多角形をなしているということは、この底面１０ａの周囲に、正多角形の角数に応じた数の「辺」があるということであり、これらの辺が正多角形を形成しているということである。
【００１９】
さらに、底面１０ａが正多角形をなしているという前提は、包装用容器１０自体の外形を形作っているフランジ１７、及びこのフランジ１７と底面１０ａとの間にある立ち上げ壁１６がどのような形状になっているか、つまり、包装用容器１０自体の外形がどのようになっているかを問わない、という意味でもある。例えば、底面１０ａが正三角形や正四角形であって、包装用容器１０の外形が円や楕円である場合も、本発明の対象となるものである。
【００２０】
この請求項１に係る包装用容器１０においては、例えば図１及び図２に示すように、底面１０ａの各辺近傍に、各辺に対して同じ角度θで傾斜し、最初の寿司２０を盛り付けるための目安になる第１リブ１１が形成してある。この第１リブ１１は、盛り付け作業者が寿司２０を盛り付ける場合に利用する目安となるものであるから、底面１０ａに対して凸になっていても凹になっていてもよく、また、幅や長さは制限されないが、方向性をも示す意味でできるだけ直線状になっていた方が好ましい。
【００２１】
なお、この第１リブ１１の表面に細かい凹凸を形成して光を乱反射させるようにすると、底面１０ａ内面の他の部分が光ったときに、この光の中に当該第１リブ１１が浮き上がるということになるから、目安とし易いことになる。
【００２２】
以上のように構成した包装用容器１０について、その底面１０ａ上に寿司２０を流し盛りして行く作業を、底面１０ａが正四角形である場合について順を追って説明すると、次の通りである。まず、多数の寿司２０が順次送り出されてくる、例えば寿司製造装置の排出口、あるいはコンベアベルトの近くに、多数積み重ねられた包装用容器１０が置かれているから、作業者はその内の一つを取って作業台上の作業し易い箇所に置く。
【００２３】
この包装用容器１０を作業台上に置く場合に、一般的に「右利き」である作業者は、底面１０ａの一つの辺が、作業者から見て上側で水平になるようにする。何故なら、複数の寿司２０を順に並べるには、一番上の列の左奥から始め、この一番上の列が終われば、直ぐ下側の列に移ってまた左奥から始めるのが自然だからである。底面１０ａの一つの辺が作業者から見て上側で水平になるように包装用容器１０を配置すると、この辺の近傍に、当該辺に対して角度θで傾斜した状態の第１リブ１１が必ず現れる。この第１リブ１１の出現位置と傾斜角度θは、底面１０ａの一つの辺が上側で水平になるようにするという条件を満たせば、包装用容器１０をどの辺を上側にして作業台上に置こうと、常に同じである。
【００２４】
換言すると、作業者が盛り付けし易いように、底面１０ａの一つの辺が上側で水平になるように包装用容器１０を配置すると、盛り付け作業を始める位置に必ず第１リブ１１が出現する。この第１リブ１１は、これの近傍にある辺に対して同じ角度θで傾斜しているから、この第１リブ１１に沿って、つまり第１リブ１１を目安にして寿司２０を配置すれば、最初の寿司２０ａは必ず「流し盛り」に必要な角度で斜め載置がなされることになる。
【００２５】
最初の寿司２０ａが必ず「流し盛り」に必要な角度で斜め載置されれば、図２にも示すように、この最初の寿司２０ａの載置状態自体や、上側で水平にした辺を、次の寿司２０ｂを流し盛りするための「目安」とすることで、作業者は、この最初の寿司２０ａを目安としてその右隣に次の寿司２０ｂを流し盛りに合った状態に載置することが簡単にできる。勿論、下側の列に載置作業が移れば、最初の寿司２０ａ等の載置状態やこれらが形成している列状態自体が、次の列での寿司２０を流し盛りするための「目安」となることは言うまでもない。
【００２６】
そして、第１リブ１１を目安として流し盛りをして行けば、各寿司２０が寿司製造装置で略同じ大きさに形成されていることもあって、流し盛り完了後の寿司２０の総数は常に一定となり、当該包装用容器１０に収納すべき寿司２０の貫数に間違いが発生することはない。
【００２７】
以上の結果、底面１０ａの一つの辺が上側で水平になるようにするという条件（これは自然な作業である）さえ満たせば、包装用容器１０の配置がどのようであっても、また、正多角形である底面１０ａの角数がどのようであっても、最初の寿司２０ａを載置すべき位置が常に同じ位置に現れる第１リブ１１によって示されることになり、熟練を有しない作業者であっても、寿司２０の流し盛りが綺麗に行えることになるのである。
【００２８】
従って、この請求項１に係る包装用容器１０は、どのような向きに置いても、流し盛りすべき寿司２０の配置位置の目安が常に同じ位置に現れて、熟練されていない人でも、寿司２０の流し盛りを、短時間内で簡単に、しかも貫数の間違いがなく綺麗に行えるものとなっているのである。
【００２９】
上記課題を解決するために、請求項２に係る発明の採った手段は、上記請求項１に記載の寿司２０用の包装用容器１０について、
「第１リブ１１を目安にして盛り付けた最初の寿司２０ａの右隣に次の寿司２０ｂを盛り付けるために、底面１０ａに、第１リブ１１に対して平行または直角で傾斜する第２リブ１２を形成したこと」
である。
【００３０】
この請求項２に係る包装用容器１０では、図３に示すように、底面１０ａに、第１リブ１１に対して平行または直角で傾斜する第２リブ１２を形成したものであるが、この第２リブ１２は、第１リブ１１を目安にして盛り付けた最初の寿司２０ａの右隣に、次の寿司２０ｂを盛り付ける際の目安となるものである。
【００３１】
まず、図３に示す例では、底面１０ａが正四角形であり、横１列について３貫の寿司２０を載置し、この横列を上下３つにするもので、合計９貫の寿司２０を収納するものであるが、この場合を中心に以下の説明をすすめて行く。勿論、この包装用容器１０において、底面１０ａの各辺近傍に、各辺に対して同じ角度θで傾斜し、最初の寿司２０ａを盛り付けるための目安になる第１リブ１１が形成されていることは言うまでもない。
【００３２】
各第２リブ１２は、第１リブ１１に対して平行または直角で傾斜する必要があるが、その理由は各寿司２０の形状にある。各寿司２０は、「寿司飯」の上に種々な形状の「ネタ」を載せて形成されるものであり、「寿司飯」の方は、略長方形状の一定の形状に形成されるが、「ネタ」の方は、「寿司飯」からはみ出るような大きさで、形も一定しないものが多い。従って、各第２リブ１２を目安にして底面１０ａ上に載置する場合、寿司２０側のどの部分を第２リブ１２に合わせればよいか迷う場合がある。
【００３３】
前述したように、複数の寿司２０を流し盛りするには、最初に図３の図示上側で左奥となっている第１リブ１１を目安として最初の寿司２０ａが載置されるが、次の寿司２０ｂは、この最初の寿司２０ａの図示右隣にこれと平行に配置されるべきである。そこで、第２リブ１２が第１リブ１１と平行に形成されていて、これが「ネタ」に邪魔されることなく見えるであれば、この第２リブ１２が次の寿司２０ｂを最初の寿司２０ａと平行に載置するための目安となるのである。
【００３４】
一方、図７に示す例のように、次の寿司２０ｂを最初の寿司２０ａと平行に載置するにあたって、寿司２０のネタは複雑形状であるが寿司飯の方は「長方形」であることがはっきり分かる場合であって、その載置すべき位置を示す目安としての第２リブ１２が第１リブ１１に対して直角になっていれば、これに次の寿司２０ｂを構成している寿司飯の下側短辺を合わせれば、次の寿司２０ｂを最初の寿司２０ａと平行に載置することが容易に行えることになる。これが、第１リブ１１に対して直角で傾斜する第２リブ１２を形成する場合の理由である。勿論、これらの第２リブ１２は、寿司２０ｂの寿司飯のみを目安とするものに限定されるのではなく、例えば、ネタの切り口が直線状である場合、このネタの直線の部分を第２リブ１２による目安と合わせればよい。寿司飯とネタのどちらを目安に合わせるかは、作業者がその都度適宜選択すればよい。
【００３５】
なお、底面１０ａが正四角形で、寿司２０が３行３列になる上記の例では、第１リブ１１に平行に隣接する第２リブ１２の数は「１」であったが、横一列における寿司２０の数が、４、５、６…と増加していけば、第２リブ１２の数も、２、３、４…と増加可能なことは言うまでもない。
【００３６】
従って、この請求項２に係る包装用容器１０は、上記請求項１のそれと同様な機能を発揮する他、最初の寿司２０ａの隣に次の寿司２０ｂを流し盛りするための目安を第２リブ１２によって得ることができるものとなっているのである。
【００３７】
また、請求項３に係る発明の採った手段は、上記請求項１または請求項２に記載の寿司２０用の包装用容器１０について、
「底面１０ａが、平面視正方形であること」
である。
【００３８】
この請求項３の包装用容器１０では、図１〜図５に示すように、底面１０ａの形状を平面視正方形、つまり正四角形にしたものであるが、このようにすれば、請求項１の説明で述べた、底面１０ａの一つの辺が上側で水平になるように包装用容器１０を配置する、という条件をさらに簡単にクリアできる。
【００３９】
何故なら、例えば作業台上に包装用容器１０を当接させるための桟を作業者に対して平行となるようにしておき、この桟に当接させるように包装用容器１０を作業台上に載置すれば、当然に、底面１０ａの一つの辺が上側で水平になるからである。
【００４０】
従って、この請求項３に係る包装用容器１０は、上記請求項１または２のそれと同様な機能を発揮する他、底面１０ａの一つの辺を上側で簡単に水平し得るものとなっている。
【００４１】
さらに、上記課題を解決するために、請求項４に係る発明の採った手段は、上記請求項１〜請求項３のいずれかに記載の寿司２０用の包装用容器１０について、
「底面１０ａに、その各辺と平行で、各寿司２０の配置範囲を画定する第３リブ１３を形成したこと」
である。
【００４２】
この請求項４の包装用容器１０では、図４及び図５に示すように、底面１０ａに、その各辺と平行な第３リブ１３を形成したものであるが、この第３リブ１３によって各寿司２０の配置範囲が画定されることになって、この第３リブ１３を流し盛り作業時に利用すれば、作業が捗ることになる。つまり、どの包装用容器１０を取っても、均質で綺麗な流し盛りができることになるのである。
【００４３】
この第３リブ１３は、各寿司２０の配置範囲を画定するものであるから、形状や大きさ、あるいは凹にするか凸にするかについて、殆ど制限がないものである。勿論、これらの第３リブ１３については、上述した第１リブ１１のように、直線状にするのが最も好ましいものであり、また、光を乱反射させる加工をして実施してもよい。
【００４４】
従って、この請求項４に係る包装用容器１０は、上記請求項１〜請求項３のいずれかの寿司２０用の包装用容器１０と同様な機能を発揮する他、寿司２０の載置をより一層綺麗にかつ正確に行えるものとなっているのである。
【発明の効果】
【００４５】
以上、説明した通り、本発明においては、
「平面視正多角形状の底面１０ａに、複数の寿司２０を流し盛りするための包装用容器１０において、
底面１０ａの各辺近傍に、各辺に対して同じ角度θで傾斜し、最初の寿司２０ａを盛り付けるための目安になる第１リブ１１を形成したこと」
にその構成上の主たる特徴があり、これにより、どのような向きに置いても、流し盛りすべき寿司２０の配置位置の目安が常に同じ位置に現れて、熟練されていない人でも、寿司２０の流し盛りを、短時間内で簡単に、しかも貫数の間違いがなく綺麗に行える寿司２０用の包装用容器１０を提供することができるのである。
【図面の簡単な説明】
【００４６】
【図１】本願の請求項１に係る発明を説明するためのクレーム対応図である。
【図２】同請求項１に係る発明を説明するための、寿司２０を流し盛りしたときのクレーム対応図である。
【図３】同請求項２に係る発明を説明するためのクレーム対応図である。
【図４】同請求項４に係る発明を説明するためのクレーム対応図である。
【図５】本発明の実施例に係る包装用容器１０を示すもので、（ａ）は平面図、（ｂ）は寿司２０を４貫だけ配置したときの斜視図である。
【図６】本発明で述べている正多角形を説明するもので、（a）は底面１０ａの角部の少しが直線になった場合の平面図、（b）は底面１０ａの角部の少しが円弧になった場合の平面図である。
【図７】同包装用容器１０の底面１０ａを正五角形にした場合の平面図である。
【図８】同包装用容器１０に蓋体３０を嵌合したときの正面図である。
【図９】底面１０ａが正四角形でない場合の、第１リブ１１、第２リブ１２、第３リブ１３、及び第４リブ１４の位置関係を示すもので、（a）は底面１０ａが正五角形である場合の平面図、(b)は底面１０ａが正六角形である場合の平面図である。
【図１０】底面１０ａが正四角形でない場合の、第１リブ１１、第２リブ１２、第３リブ１３、及び第４リブ１４の位置関係を示すもので、（a）は底面１０ａが正七角形である場合の平面図、(b)は底面１０ａが正八角形である場合の平面図である。
【図１１】特許文献１に示された技術を示す平面図である。
【図１２】特許文献２に示された技術を示す斜視図である。
【発明を実施するための形態】
【００４７】
次に、上記のように構成した各請求項に係る発明を、図面に示した実施の形態である包装用容器１０について説明すると、図５には本発明の第１実施例に係る包装用容器１０が、図７には本発明の第２実施例に係る包装用容器１０が示してある。これら各実施例に係る包装用容器１０は、種々な材料からなるシートをシート成形して軽量性及び経済性に優れたものとしたものであり、シートとしては合成樹脂シートが好ましい。この合成樹脂シートの材料としては、ポリプロピレン、ポリエチレンテレフタレート、二軸延伸ポリスチレン、ポリ乳酸、ポリエチレン、ポリスチレンであることが好ましい。
【００４８】
（第１実施例）
図５の（ａ）には、本発明の第１実施例に係る包装用容器１０の平面図が示してあるが、この包装用容器１０は、その底面１０ａを平面視「正四角形」としたものであり、この底面１０ａの周囲には、図８に示したように、立ち上げ壁１６及びフランジ１７が順に形成してある。特に、フランジ１７については、包装用容器１０の平面視外形を形成するものであるが、本実施例ではこのフランジ１７についても平面視「正四角形」としたものである。なお、このフランジ１７や立ち上げ壁１６には、図８に示したように、蓋体３０が嵌合されることがある。
【００４９】
この包装用容器１０の底面１０ａは、平面視「正四角形」つまり正方形であるが、この場合の正四角形とは、図６の（ａ）及び（ｂ）に示したように、正四角形の角となっている部分について、弧や直線で「角取り」されたものも含んでいる。また、本実施形態の包装用容器１０は、図２、図４、及び図５の（ｂ）にも示したように、正四角形の底面１０ａ上に対して、横１列について３貫の寿司２０を載置し、この横列を上下３つにするもので、合計９貫の寿司２０が載置できるようにしたものである。尚、寿司２０の大きさは、ネタの大きさが平面視で縦６０〜８０ｍｍ、横２５〜３５ｍｍの範囲内のもの、寿司飯の大きさが平面視で縦４９〜６８ｍｍ、横２１〜３６ｍｍの範囲内のものを想定している。
【００５０】
この底面１０ａには、当該包装用容器１０をシート成形する際に、第１リブ１１、第２リブ１２、第３リブ１３、及び第４リブ１４が、直線状のものとして同時成形される。これらの第１リブ１１、第２リブ１２、第３リブ１３、及び第４リブ１４は、底面１０ａに対して凸になっていても凹になっていてもよく、また、幅や長さは制限されないが、本実施形態では、底面１０ａに対して凸となるものである。本実施形態における第１リブ１１及び第２リブ１２は、１０ｍｍの同じ長さで、幅も２ｍｍと同じにしてあり、各辺に対して４５°で傾斜させてある。第３リブ１３については、幅は３ｍｍで長さが２８ｍｍであり、各辺に対して平行となるように形成して、所謂「碁盤の目」となるようにしてある。第４リブ１４については、長さが５ｍｍと、各リブの中で最も短いものである。
【００５１】
特に、本実施形態の包装用容器１０では、その底面１０ａが平面視正方形のものであるから、各角においてその二等分線１５を考えたとき、この二等分線１５の、両側の各辺に対する角度は、４５°となる。つまり、この二等分線１５の、上側に配置した辺に対する角度θも４５°となるのであるが、この角度４５°は複数の寿司２０を「流し盛り」する際の傾斜角度とするのに適した角度である。勿論、角度θは４５°に限定されることはなく、流し盛りが可能な角度で傾斜していればよい。さらにその角度θが３０°〜６０°の範囲内であれば、「流し盛り」が行い易くなり、食べる人にとっても寿司２０を手に取り易くなるため、望ましい。
【００５２】
そこで、本実施形態の包装用容器１０においては、図５に示したように、第１リブ１１及び第２リブ１２を、底面１０ａの各二等分線１５の線対称位置に互いに平行となるように形成することによって、例えば図５の左上に位置する第１リブ１１は、その近傍の辺に対して角度４５°で傾斜し、図４に示した左奥の寿司２０ａを盛り付けるための目安になるし、この第１リブ１１に対して平行となる第２リブ１２は、左奥の寿司２０ａの右隣に次の寿司２０ｂを盛り付けるための目安となるようにしてある。
【００５３】
換言すれば、底面１０ａの各二等分線１５の線対称位置に互いに平行となるように形成した第１リブ１１及び第２リブ１２は、その傾斜方向が寿司２０を斜め配置、つまり、「流し盛り」するための傾斜方向を示し、これら第１リブ１１及び第２リブ１２の間が寿司２０の載置場所を示している。また、第１リブ１１と平行でこれに隣接している第２リブ１２は、次の寿司２０ｂを盛り付けるための目安となっているものでもある。
【００５４】
本実施形態の包装用容器１０は、縦横３貫づつ、合計９貫の寿司２０を載置するものであるから、各第１リブ１１と平行でこれに隣接している第２リブ１２の隣に、これと平行に、かつ寿司２０の幅をおいて２本目の第２リブ１２が形成してある。この２本目の第２リブ１２の右隣には、次の角のための第１リブ１１が形成してある。
【００５５】
各第３リブ１３は、各辺に対して平行とすることで「碁盤の目」を形成しており、図４に示したように、これらの第３リブ１３を形成した底面１０ａが縦横３貫づつ、合計９貫の寿司２０を載置するものであることを示している。つまり、これらの第３リブ１３は、ネタの形状が複雑であることによって寿司２０の形が特定されない場合を想定して、各寿司２０の大まかな載置場所を示すものである。さらに、各第３リブ１３を基準にして寿司２０を並べた場合、横（又は縦）方向の寿司の位置が整列され、見た目美しく寿司を載置出来る。尚、各第３リブ１３は各辺に対して平行であり、さらに第１リブ１１や、第２リブ１２と異なる長さで形成されているので、作業者がこれらのリブと第３リブ１３をはっきりと区別可能とし、各リブを混同して迷うことなく寿司２０の流し盛りが行えるのである。
【００５６】
各第４リブ１４は、寿司２０が底面１０ａ上に整然と盛り付けて載置されたとき、包装用容器１０に振動や揺れが加わった時でも、寿司２０が動いて盛り付けが崩れるのを防止するものである。換言すれば、これらの第４リブ１４は、直線状である必要はなく、寿司２０の盛り付けが崩れにくくなるように考慮した点状のものであってもよい。尚、各第４リブ１４は、第１リブ１１や、第２リブ１２、第３リブ１３と異なる長さや角度で形成されているので、作業者がこれらの第４リブ１４と他のリブとをはっきり区別できる。勿論、各リブは異なる長さや形状のものであるから、作業者は、これらのリブを混同することはなく、迷うことなく寿司２０の流し盛りが行えるのである。
【００５７】
（第２実施例）
図７には、第２実施形態に係る包装用容器１０を構成する底面１０ａの平面が示してある。この底面１０ａの平面視形状は、正五角形であり、図９の（ａ）に示したような、各辺に対して寿司２０を流し盛りすることを想定したものである。寿司２０を各辺に沿って流し盛りすることは、大勢の人が当該包装用容器１０を囲んで寿司２０を食する場合を想定したものであり、例えば図９の（ｂ）に示したような二等分線１５で囲まれた部分にある寿司２０が一人分であることが人目で分かるようにしたものである。
【００５８】
さて、この第２実施形態の包装用容器１０では、底面１０ａに形成した各第１リブ１１が、各辺に対して同じ角度θで傾斜し、最初の寿司２０ａを盛り付けるための目安になることは、上述した第１実施例と同じであるが、第１リブ１１を目安にして盛り付けた最初の寿司２０ａの右隣に次の寿司２０ｂを盛り付けるための各第２リブ１２が、第１リブ１１に対して直角で傾斜するものとした点が上記第１実施例の場合と異なるものである。
【００５９】
各第１リブ１１に対して直角に設けた第２リブ１２は、図７に示したように、次の寿司２０ｂにおける寿司飯の下側短辺を配置するための目安となるものである。寿司２０は、例えば『大トロ』『エビ』『あなご』の場合、その平面視形状がそのネタによって一定形状にはならないことや、ネタが他の寿司よりも極端に大きい場合があるが、寿司飯の方は、寿司製造装置によって作られるため、略一定の長方形状となることが多い。もし、第２リブ１２が第１リブ１１と平行に形成したものであると、複雑形状の寿司２０の何処を第２リブ１２に合わせれば良いか迷うことになるが、第１リブ１１と直交した第２リブ１２が、次の寿司２０ｂにおける寿司飯の下側短辺を配置するための目安であることが明瞭であれば、迷うことなく寿司２０の流し盛りが行えるのである。勿論、前述の通り、寿司２０ｂのネタの切り口等と第２リブ１２を合わせて目安にし、流し盛りを行うことも可能である事は言うまでもない。
【００６０】
勿論、この第２実施例に係る包装用容器１０においても、例えば図９の（ａ）に示したように、上記第１実施例で述べた第３リブ１３や第４リブ１４を形成して実施してもよいことは言うまでもない。
【００６１】
（その他の実施例）
図９の（ｂ）には平面視正六角形の底面１０ａが例示してある。また、図１０の（ａ）または（ｂ）には、平面視正七角形または平面視正八角形の底面１０ａが、それぞれ例示してある。これらの例示した底面１０ａには、図示したように、第１リブ１１、第２リブ１２、第３リブ１３、及び第４リブ１４が形成されるが、これら第１リブ１１、第２リブ１２、第３リブ１３、及び第４リブ１４の配置は、さらに自由に変更される。
【符号の説明】
【００６２】
１０    包装用容器
１０ａ  底面
１１    第１リブ
１２    第２リブ
１３    第３リブ
１４    第４リブ
１５    二等分線
１６    立ち上げ壁
１７    フランジ
２０・２０ａ・２０ｂ    寿司
３０    蓋体
θ    （傾斜）角度
【図１】
2014172658.tif 000003
【図２】
2014172658.tif 000004
【図３】
2014172658.tif 000005
【図４】
2014172658.tif 000006
【図５】
2014172658.tif 000007
【図６】
2014172658.tif 000008
【図７】
2014172658.tif 000009
【図８】
2014172658.tif 000010
【図９】
2014172658.tif 000011
【図１０】
2014172658.tif 000012
【図１１】
2014172658.tif 000013
【図１２】
2014172658.tif 000014